(57)【要約】  【課題】  より快適な使用感を得ることができ、健康増進に役立つ枕を提供するものである。  【解決手段】  高さ調節枕であって、頸部を載置するための第１袋体と、前記第１袋体と隣接するよう設置される第２袋体と、前記第１袋体に設置され空気の封入又は排出が可能な空気袋とを有し、前記第１袋体は、テラヘルツ鉱石、トルマリン鉱石、又はブラックシリカ鉱石の粉末と、ラジウムを含む湯の花の精製物との少なくともいずれか１つを所定のパターンで付着させた所定形状の頭頚区域を有することを特徴とする。【選択図】  図１
2019051407.tif 000002
【特許請求の範囲】
【請求項１】
頸部を載置するための第１袋体と、前記第１袋体と隣接するよう設置される第２袋体と、前記第１袋体に設置され空気の封入又は排出が可能な空気袋とを有し、
前記第１袋体は、テラヘルツ鉱石、トルマリン鉱石、又はブラックシリカ鉱石の粉末と、ラジウムを含む湯の花の精製物との少なくともいずれか１つを所定のパターンで付着させた所定形状の頭頚区域を有することを特徴とする、高さ調節枕。
【請求項２】
請求項１に記載の高さ調節枕であって、
前記第１袋体、前記第２袋体、及び前記空気袋を収容するカバーと、
前記カバー内部の一方の面から対向する反対面に渡って形成され、収容された前記第１袋体を係止する第１袋体係止部を有し、
前記空気袋は、空気管を介して空気を送入又は排出する空気ポンプと接続され、
前記第１袋体は、前記第２袋体と接する一辺が凹状に形成され、
前記第２袋体は、前記第１袋体と接する一辺が凸状に突出して前記第１袋体と嵌合し、
前記第１袋体係止部は、帯状であって、一端が前記一方の面と接合し、他端が前記反対面と接合することを特徴とする、高さ調節枕。
【請求項３】
請求項１又は２に記載の高さ調節枕であって、
前記頭頚区域は、略半円形状であって、前記テラヘルツ鉱石、前記トルマリン鉱石、又は前記ブラックシリカ鉱石の粉末と、前記ラジウムを含む湯の花の精製物との少なくともいずれか１つを複数の略円形状である円領域に付着させていることを特徴とする、高さ調節枕。
【請求項４】
請求項３に記載の高さ調節枕であって、
前記円領域は、直径５ｍｍ以上１３ｍｍ以下であって、隣り合う前記円領域は２ｍｍ以上１０ｍｍ以下の隙間を有することを特徴とする、高さ調節枕。
【発明の詳細な説明】
【技術分野】
【０００１】
本発明は、高さ調節枕に関する。
【背景技術】
【０００２】
睡眠時の快適な姿勢を得るために、高さを調節することのできる枕が普及している。
【０００３】
特許文献１には、「使用者の頭部と首部の各々の当接部位に対応し、気体を内封可能に構成した複数の圧力袋と、前記圧力袋の内封気体量を前記圧力袋毎に独立して調整可能な調整手段とを含んでなることを特徴とする」エアー式枕が開示されている。
【先行技術文献】
【特許文献】
【０００４】
【特許文献１】特開２００２−２３８７１６号
【発明の開示】
【発明が解決しようとする課題】
【０００５】
高さ調節が可能な枕において、健康を増進させる作用があることが望まれる。特許文献１に記載のエアー式枕では、健康の増進が考慮されていない。
【０００６】
本発明は、上記の点に鑑みてなされたものであって、快適な使用感を得ることができ、健康増進に役立つ枕を提供するものである。
【課題を解決するための手段】
【０００７】
上記課題を解決するために、本発明の一態様に係る高さ調節枕は、頸部を載置するための第１袋体と、前記第１袋体と隣接するよう設置される第２袋体と、前記第１袋体に設置され空気の封入又は排出が可能な空気袋とを有し、前記第１袋体は、テラヘルツ鉱石、トルマリン鉱石、又はブラックシリカ鉱石の粉末と、ラジウムを含む湯の花の精製物との少なくともいずれか１つを所定のパターンで付着させた所定形状の頭頚区域を有することを特徴とする。
【０００８】
また、本発明の高さ調節枕は、前記第１袋体、前記第２袋体、及び前記空気袋を収容するカバーと、前記カバー内部の一方の面から対向する反対面に渡って形成され、収容された前記第１袋体を係止する第１袋体係止部を有し、前記空気袋は、空気管を介して空気を送入又は排出する空気ポンプと接続され、前記第１袋体は、前記第２袋体と接する一辺が凹状に形成され、
前記第２袋体は、前記第１袋体と接する一辺が凸状に突出して前記第１袋体と嵌合し、前記第１袋体係止部は、帯状であって、一端が前記一方の面と接合し、他端が前記反対面と接合することを特徴としてもよい。
【０００９】
また、本発明の前記頭頚区域は、略半円形状であって、前記精製物を複数の略円形状である円領域に付着させていることを特徴としてもよい。
【００１０】
また、本発明の前記前記円領域は、直径５ｍｍ以上１３ｍｍ以下であって、隣り合う前記円領域は２ｍｍ以上１０ｍｍ以下の隙間を有することを特徴としてもよい。
【発明の効果】
【００１１】
本発明によれば、快適な使用感を得ることができ、健康増進に役立つ枕を提供することができる。
【図面の簡単な説明】
【００１２】
【図１】高さ調節枕の外観を示す図である。
【図２】第１袋体の詳細を説明するための図である。
【図３】第２袋体及び高さ調節部の詳細を説明するための図である。
【図４】カバーの詳細を説明するための図である。
【発明を実施するための形態】
【００１３】
以下、図面に基づいて本発明の実施の形態を説明する。図１は、高さ調節枕１の外観を示す図である。
【００１４】
高さ調節枕１は、第１袋体１１と、第２袋体１２と、高さ調節部１３と、カバー１４とを有する。高さ調節部１３は、後述する空気袋と空気ポンプとを有する。第１袋体１１と、第２袋体１２と、空気袋とは、カバー１４に収容されている。カバー１４に収容されている状態において、第１袋体１１と第２袋体１２とは隣接している。
【００１５】
図１において、高さ調節枕１を床面に平置きにした場合に、重力方向を−ｚ方向、重力に反する方向を＋ｚ方向とする。高さ調節枕１の＋ｚ方向に頭を載置する。
【００１６】
第１袋体１１とカバー１４との間に、空気袋が設置される。空気袋は、頭頸部と高さ調節枕１が接する面側（例えば図１における＋ｚ側）のカバー１４と第１袋体１１との間に設置されるものであってもよいし、敷布団と高さ調節枕１が接する面側（−ｚ側）のカバー１４と第１袋体１１との間に設置されるものであってもよい。しかしながら、カバー１４の材質によっては、−ｚ側に設置されることが望ましい。なお、空気袋は、第１袋体１１の内部に設置されるものであってもよい。
【００１７】
空気ポンプを押圧すると、空気が封入されることにより空気袋が膨らむ。これにより第１袋体１１の＋ｚ方向の厚み（高さ）が増す。また、空気ポンプが有するプッシュボタンを操作することにより、空気袋の空気が排出され、第１袋体１１の高さは空気袋に空気を入れる前の状態に戻る。
【００１８】
第１袋体１１に頸部を載置し、第１袋体１１と第２袋体１２との間、又は第２袋体１２の上に後頭部を載置する。空気ポンプを押圧し、空気袋に空気を封入すると、第１袋体１１の高さが増し、頸椎が形成する弧に高さ調節枕１が密着する。過度に頸椎が持ち上がった場合には、第１袋体１１に頸部を載置したままプッシュボタンを操作することで、空気袋の空気が排出される。適度な高さになるよう操作を行うことで、適切な姿勢で睡眠することが可能になる。
【００１９】
図２は、第１袋体１１の詳細を説明するための図である。第１袋体１１は、第２袋体１２と接する一辺ａを陥没させて形成させることにより、凹状に形成されている。換言すれば、第１袋体１１は第２袋体１２に接する方向に突出した少なくとも２つの突出部ｂを有する。
【００２０】
図２（Ａ）は、第１袋体１１を図１に示す＋ｚ方向から見た図である。第１袋体１１は、略半円形状に形成された頭頚区域１１１を有する。頭頚区域１１１は、略円形状である円領域ｄを複数有しており、円領域ｄはパターンを形成するように配列している。例えば、円領域ｄは格子の交点に配置されるよう配列している。円領域ｄは、テラヘルツ鉱石、トルマリン鉱石、又はブラックシリカ鉱石の粉末と、ラジウムを含む湯の花の精製物との少なくともいずれか１つを所定のパターンで付着させた領域である。
【００２１】
テラヘルツ鉱石は、高純度のシリコン（珪素）である。例えば、石英から酸素を除去することにより、高純度のシリコンであるテラヘルツ鉱石を得る。テラヘルツ鉱石は、例えば加熱等の刺激により励起し、テラヘルツ波を発生させると考えられている。テラヘルツ波は、周波数１００ＧＨｚ〜１０ＴＨｚの電磁波であり、周波数が光波と電波との中間領域に該当する。テラヘルツ波を照射することにより、細胞の振動エネルギーが高まり、生命活動が活発化し自然治癒力が向上すると考えられている。
【００２２】
また、トルマリン鉱石は、トルマリンを含む鉱物であって、圧電効果を有しており、マイナスイオンを発生させると考えられている。ブラックシリカ鉱石は、ブラックシリカ（黒鉛珪素）を含む鉱物であって、遠赤外線を放出することにより細胞の活性化を促す効果が期待されている。
【００２３】
ラジウムは、ラジウム放射線を放射する元素であり、生物活性を刺激したり、高線量の放射線の照射に対する抵抗性をもたらしたりする放射線ホルミシス効果を有するものとして注目されている。放射線ホルミシス効果により、体内に活性酸素が発生し、免疫の活性反応を進行させると考えられている。
【００２４】
このようなラジウムを有する天然鉱物として、一般的に北投石が知られているが、北投石は世界で台湾台北州と秋田県の玉川温泉の２か所でしか産出されないため、日本では特別天然記念物に指定されている。現在、日本では北投石の採取は禁止されている。
【００２５】
本実施形態では、玉川温泉で産出される湯の花を、酸、硫黄、重金属等の有害物質を除去することにより精製し、精製物を得る。玉川温泉の温泉水は、ＰＨ１．１〜１．２の強酸性泉（硫化水素含有塩酸性緑ばん泉）であって、北投石とほぼ同程度のラジウム放射線を放射することに着目し、玉川温泉で採取される湯の花を精製することで人工北投石ともいえる精製物を作製した。つまり、湯の花の精製物を付着させた枕を用いることで、ラジウム放射線がもたらす健康増進効果が期待できる。
【００２６】
また、精製物が放出するラジウムが壊変することにより、ラドンを含む不活性ガスが発生する。ラドンガスは、皮膚組織や神経系等を刺激することにより、ラジウム同様に放射線ホルミシス効果を有すると考えられる。従って、玉川温泉の湯の花の精製物を付着させた枕を用いることで、皮膚細胞や体内組織が活性化し、健康を増進させることができる。
【００２７】
なお、精製物によるラジウム放射量は、毎分１２００ＣＰＭカウント以上であることが望ましい。ラジウム放射量が毎分１２００ＣＰＭカウント以上あれば、一般的に医療用として充分な効果が期待できるとされているためである。また、ラジウム放射量が多すぎると刺激が強すぎる恐れがあるため、毎分１２００ＣＰＭ〜１６００ＣＰＭカウントの範囲内で放射されることがさらに望ましい。
【００２８】
以上のように、円領域ｄに付着させる湯の花は、玉川温泉で産出されたものが望ましい。しかしながら、本実施形態において用いる湯の花は、玉川温泉で産出されたものに限定されない。
【００２９】
なお、頭頚区域１１１の有する円領域ｄの直径ｔ１は、望ましくは５ｍｍ以上１３ｍｍ以下であり、より望ましくは８ｍｍ以上９ｍｍ以下である。また、隣り合う円領域ｄと円領域ｄとの隙間ｔ２は、望ましくは２ｍｍ以上１０ｍｍ以下であり、より望ましくは５ｍｍ以上６ｍｍｍ以下である。
【００３０】
湯の花の精製方法については限定されない。例えば、採取した湯の花を焼成することにより、不純物を除去して精製を行ってもよい。また、円領域ｄに対する精製物の付加方法についても、特に限定されない。例えば、精製物を含有させたインクをシルクスクリーン印刷を用いて第１袋体１１に印刷することにより、精製物を円領域ｄに付着させる。
【００３１】
図２（Ｂ）は、第１袋体１１を−ｚ方向から見た図である。第１袋体１１は、空気袋を収容する収容部１１２を有する。収容部１１２は、例えばスリットの入った袋状であり、スリットから空気袋を差し入れる。しかしながら、収容部１１２は空気袋を係止できるものであればよく、形状を問わない。例えばゴム製のバンドのように、空気袋を収容するものでなくてもよい。
【００３２】
第１袋体１１には、頭部の荷重を吸収する弾性体が内包されている。弾性体の素材は限定されない。例えば、表面と裏面で異なる素材の弾性体が設置されている。
【００３３】
なお、図２に示した第１袋体１１は、＋ｚ方向に頭頚区域１１１を有し、−ｚ方向に収容部１１２を有している。しかしながら、頭頚区域１１１及び収容部１１２は、第１袋体の＋ｚ方向及び−ｚ方向の両面に、重畳するよう設置されていてもよいし、第１袋体１１の片面のみに重畳して設置されていてもよい。
【００３４】
図３は、第２袋体１２及び高さ調節部１３の詳細を説明するための図である。図３（Ａ）は、第２袋体１２の外観である。第２袋体１２は、第１袋体１１と接する一辺が凸状に突出しており、突出部分が第１袋体１１の凹状に陥没した部分と嵌合するよう形成される。
【００３５】
第２袋体１２は、空気管係止部１２１を有する。空気管係止部１２１は、高さ調節部１３が有する空気管を係止するための輪状の部材である。図１点線に示す通り、第１袋体１１に設置された空気袋に接続された空気管は空気管係止部１２１の内部を通り、空気ポンプと接続されている。これにより、空気ポンプが布団内部に入らない位置に保持しておくことができる。なお、必要に応じて空気管係止部１２１から空気管を取り外すことができる。
【００３６】
第２袋体１２には弾性体が内包されており、第１袋体１１と同様に、弾性体の素材は限定されない。例えば、第１袋体１１と同様に、表面と裏面とで異なる素材の弾性体が設置されている。
【００３７】
なお、第１袋体１１が凹状に形成され、第２袋体１２が凸状に形成されるが、逆に第１袋体１１が凸状に形成され、第２袋体１２が凹状に形成されていてもよい。また、第２袋体１２が、第１袋体１１と同様、又は第１袋体１１の代わりに、頭頚区域１１１及び収容部１１２を有するものであってもよい。
【００３８】
本実施形態では、枕の弾性体を第１袋体１１と第２袋体１２とに分けて形成することにより、必要に応じて各々を別々に調整し、より快適な使用感を得ることができる。また、弾性体を一体として形成する場合に比べ、高さ調節可能な部分の弾性体が他の部分に移動するといった不都合を予防しうる。
【００３９】
図３（Ｂ）は、高さ調節部１３の外観である。高さ調節部１３は、空気ポンプ１３１と、空気袋１３２と、空気管１３３とを有する。空気ポンプ１３１を押圧すると、空気が空気管１３３を介して空気袋１３２へと送入され、空気袋１３２を膨らます。空気ポンプ１３１の有するプッシュボタンを操作すると、プッシュボタンに設置された弁が開き、空気袋１３２内の空気が空気管１３３を介して高さ調節部１３外部に排出される。
【００４０】
図４は、カバー１４の詳細を説明するための図である。カバー１４は、第１袋体係止部１４１と、スリット１４２とを有する。カバー１４は布又は不織布状に形成した紙等で形成される。
【００４１】
第１袋体係止部１４１は、カバー１４内部の一方の面から対向する他方の面（反対面）に渡って帯状に形成される。カバー１４内部の一方の面と第１袋体係止部１４１の一端とは接合している。同様に、カバー１４内部の他方の面と第１袋体係止部１４１の他端とは接合している。
【００４２】
第１袋体係止部１４１は、カバー１４と同様に、布で形成されることが望ましい。また、第１袋体係止部１４１は、伸縮可能であってもよい。第１袋体係止部１４１は、カバー１４内部に収容された第１袋体１１の突出部ｂを係止するよう形成される。これにより、第１袋体１１はカバー１４内部に係止される。
【００４３】
第１袋体に空気袋を設置し、高さの調節を行うと、何も載置していない部分に比べ、頭頸部を載置する部分には圧力がかかる。そのため、第１空気袋は頭頸部を載置していない方向にずれる傾向がある。第１袋体係止部１１により第１袋体を係止することにより、高さ調節枕１の使用中に第１袋体１１がずれたり、スリット１４２から飛び出したりすることを予防しうる。
【００４４】
スリット１４２は、カバー１４の側面を開閉可能にするよう形成された切れ目であって、第１袋体１１、第２袋体１２、及び空気袋１３２の出し入れに用いられる。スリット１４２は閉じた状態をファスナー等により維持できるものであってもよいが、空気管１３３はスリット１４２の一部を経由してカバー１４内からカバー１４外へと配置される。
【００４５】
本実施形態により、第１袋体１１と第２袋体１２とを用い、その一方を高さ調節可能とすることで、より操作者の要望に見合った快適な使用感を提供することができる。また、日常的に使用する枕に頭頚区域１１１を設けることにより、健康増進を促進することができる。
【００４６】
以上、各実施形態に基づき本発明の説明を行ってきたが、上記実施形態に示した要件に本発明が限定されるものではない。上記実施形態に示した要件に関しては、本発明の主旨をそこなわない範囲で変更することができ、その応用形態に応じて適切に定めることができる。
【００４７】
また、各実施形態は、それぞれの特徴を組み合わせることができる。上述のいずれかの高さ調節枕１が、他の実施形態の特徴を併せ持つものであってもよい。
【符号の説明】
【００４８】
１：高さ調節枕、１１：第１袋体、１２：第２袋体、１３：高さ調節部、１４：カバー、１１１：頭頚区域、１１２：収容部、１２１：空気管係止部、１３１：空気ポンプ、１３２：空気袋、１３３：空気管、１４１：第１袋体係止部、１４２：スリット、ａ：突出部、ｄ：円領域
【図１】
2019051407.tif 000003
【図２】
2019051407.tif 000004
【図３】
2019051407.tif 000005
【図４】
2019051407.tif 000006